(57)【特許請求の範囲】
【請求項１】
光軸に直交する面上を絞り羽根が互いに離接する方向に移動することにより絞り開口を形成する撮影レンズの絞り装置において、
少なくとも２枚の絞り羽根と、第１のＮＤフィルタが取着されたＮＤフィルタ保持部材とを有し、
ＮＤフィルタ保持部材は、光軸方向において一方の絞り羽根を挟んで位置する他方の絞り羽根と同一方向に移動するように設けられ、
他方の絞り羽根には、その絞り径形成用切欠の一部を覆うように第２のＮＤフィルタが取着され、
上記一方の絞り羽根は、上記他方の絞り羽根及び上記ＮＤフィルタ保持部材の移動方向と反対の方向に移動し、
上記第２のＮＤフィルタは、上記他方の絞り羽根に形成された絞り径形成用切欠を覆うように取着され、
上記２つのＮＤフィルタは、上記絞り開口内で一部が重なるようにされ、
ＮＤフィルタが全くかからない素通し部と、上記第１のＮＤフィルタのみかかる部分とを隣接させ、
上記第１のＮＤフィルタが絞り開口を覆う面積を、第２のＮＤフィルタが絞り開口を覆う面積より大きくするとともに、
絞り径の変化に伴う第１のＮＤフィルタの変位量を第２のＮＤフィルタの変位量よりも大きくした
ことを特徴とする撮影レンズの絞り装置。
【請求項２】
長さ方向における中間の部分に回転中心を有する回動アームを備え、
ＮＤフィルタが取着されていない上記絞り羽根を回動アームの一方の回動端部に連結し、
ＮＤフィルタが取着された上記絞り羽根を回動アームの他方の回動端部に連結し、
上記ＮＤフィルタ保持部材を回動アームのうち上記ＮＤフィルタが取着された絞り羽根の連結点よりも更に回動端側に連結した
ことを特徴とする請求項１に記載の撮影レンズの絞り装置。
【請求項３】
回動アームの一方の回動端部に第１の連結ピンを設け、
回動アームの他方の回動端部に回動中心からの距離が互いに相違する位置に各別に２つの連結ピン（以下、それぞれ「第２の連結ピン」、「第３の連結ピン」という。）を設け、
ＮＤフィルタが取着されていない上記絞り羽根に第１の長孔を形成すると共に、該第１の長孔に上記第１の連結ピンを係合し、
ＮＤフィルタが取着された上記絞り羽根に第２の長孔を形成すると共に、該第２の長孔に上記第２の連結ピンを係合し、
上記ＮＤフィルタ保持部材に第３の長孔を形成すると共に、該第３の長孔に上記第３の連結ピンを係合した
ことを特徴とする請求項２に記載の撮影レンズの絞り装置。
【請求項４】
回動アームの第２の連結ピン及び第３連結ピンが設けられた側の回動端が絞り開口から離間する側に最も回動した状態において、上記第３の連結ピンが第２の連結ピンよりも各絞り羽根の移動方向と直交する方向に偏倚した位置に設けられた
ことを特徴とする請求項３に記載の撮影レンズの絞り装置。
【請求項５】
物体側から、ＮＤフィルタが取着された絞り羽根、ＮＤフィルタが取着されていない絞り羽根、ＮＤフィルタ保持部材の順に配置した
ことを特徴とする請求項１に記載の撮影レンズの絞り装置。
【請求項６】
物体側から、ＮＤフィルタが取着された絞り羽根、ＮＤフィルタが取着されていない絞り羽根、ＮＤフィルタ保持部材の順に配置した
ことを特徴とする請求項２に記載の撮影レンズの絞り装置。
【請求項７】
物体側から、ＮＤフィルタが取着された絞り羽根、ＮＤフィルタが取着されていない絞り羽根、ＮＤフィルタ保持部材の順に配置した
ことを特徴とする請求項３に記載の撮影レンズの絞り装置。
【請求項８】
物体側から、ＮＤフィルタが取着された絞り羽根、ＮＤフィルタが取着されていない絞り羽根、ＮＤフィルタ保持部材の順に配置した
ことを特徴とする請求項４に記載の撮影レンズの絞り装置。
【発明の詳細な説明】
【０００１】
【発明の属する技術分野】
本発明は新規な撮影レンズの絞り装置に関する。詳しくは、互いに逆方向に直進する複数の絞り羽根を使用するとともに、ＮＤフィルタにより回折による画質の劣化や焦点深度の増大による撮像素子近傍のゴミの写り込みを防止した撮影レンズの絞り装置に関し、装置が大型化することなく、小絞りに到るまでの中間絞りにおいて極小になった素通し部による回折の影響を軽減する構造に技術に関する。
【０００２】
【従来の技術】
ビデオカメラ等の撮影レンズの絞り装置には、複数の絞り羽根を光軸回りに回動させて絞り径の調整を行う所謂「虹彩絞り」に替えて、一の直線上を互いに逆方向に移動する２枚の絞り羽根を用いて小型化と軽量化並びにコストの低減を図った撮影レンズの絞り装置が使用されるようになってきている。
【０００３】
ところが、被写体が明るいときに、絞り径が小さくなりすぎると、回折による画質の劣化と焦点深度の増大によるゴミの写り込みが問題となる。
【０００４】
そこで、絞り羽根の１枚にＮＤフィルタを貼り付けて該ＮＤフィルタが絞り羽根の絞り径形成用切欠内に突出するようにして、極端な小絞りになるのを防ぐようにしたものがある。
【０００５】
図９は、従来の撮影レンズの絞り装置の一例ａを示す。
【０００６】
絞り装置ａは、２つの絞り羽根ｂ、ｃとこれら絞り羽根ｂ、ｃを駆動するための駆動手段ｄとから成る。
【０００７】
一方の絞り羽根ｂは、その下縁に絞り径形成用切欠ｅが形成されており、また、絞り羽根ｂの右側縁寄りの位置には上下方向に延びる被案内スリットｆ、ｆが上下に分かれて形成されている。また、左側縁に寄った位置にも上下方向に延びる被案内スリットｇが形成されている。
【０００８】
また、絞り羽根ｂの右の上に形成された被案内スリットｆの直ぐ上の位置に左右に長い連結長孔ｈが形成されている。
【０００９】
そして、光通過孔が形成された図示しない筐体に設けられた案内ピンが被案内スリットｆ、ｆ及びｇに各別に摺動自在に係合され、これによって絞り羽根ｂは該筐体に上下方向に摺動自在に支持される。
【００１０】
他方の絞り羽根ｃは、その上縁に絞り径形成用切欠ｉが形成され、ＮＤフィルタｊが絞り径形成用切欠ｉの下端部を覆うように取着されている。絞り羽根ｃの左側縁寄りの位置には上下方向に延びる被案内スリットｋ、ｋが上下に分かれて形成されている。また、右側縁に寄った位置にも上下方向に延びる被案内スリットｌが形成されている。尚、ＮＤフィルタｊは、１０％の透過率のものが用いられている。
【００１１】
また、絞り羽根ｃの左の上に形成された被案内スリットｋの直ぐ上の位置に左右に長い連結長孔ｍが形成されている。
【００１２】
そして、上記図示しない筐体に設けられた案内ピンが被案内スリットｋ、ｋ及びｌに各別に摺動自在に係合され、これによって絞り羽根ｃは該筐体に上下方向に摺動自在に支持される。
【００１３】
駆動手段ｄは、図示しない上記筐体の上方部に取着された駆動モータｎと該駆動モータｎの回転軸に固定された操作アームｏとを有する。
【００１４】
操作アームｏはほゞ左右方向に長く、その中央部が駆動モータｎの回転軸に固定されており、また、その左右両端部には連結ピンｐ、ｐが突設されている。
【００１５】
そして、操作アームｏの右側の連結ピンｐが絞り羽根ｂの連結長孔ｈに、また、左側の連結ピンｐが絞り羽根ｃの連結長孔ｍに、それぞれ摺動自在に係合される。
【００１６】
従って、駆動モータｎが駆動されて操作アームｏが回動すれば、その連結ピンｐとｐとはそれぞれ反対の方向へ移動するので、これらと連結されている絞り羽根ｂとｃとは上下方向にかつ反対の方向に移動することになる。これによって、２つの絞り羽根ｂとｃの絞り径形成用切欠ｅ、ｉによって限定される絞り径（絞り開口）ｑが変化することになる。
【００１７】
図１０は、このように構成された絞り装置ａの絞り羽根ｂ、ｃを移動させて、開放絞り（図１０（ａ））から小絞り（図１０（ｇ））まで順次絞ったときの開口形状とＮＤフィルタｊが開口を覆う様子を示したものである。
【００１８】
【発明が解決しようとする課題】
ところで、上述のような絞り装置ａにあっては、小絞り（図１０（ｇ））に到る中間の過程で、図１０（ｅ）に示すように、ＮＤフィルタｊが絞り開口ｑの全面にかかりきらない素通し部分ｒがあたかも小絞りのような効果を出してしまい、画質が劣化するという問題があった。
【００１９】
図１１は、絞り開口ｑの変化による垂直方向のコントラストの変化を測定した結果を表わしたグラフ図である。図１１において、横軸の（ａ）〜（ｇ）は図１０の開口形状（ａ）〜（ｇ）に対応したもので、縦軸は撮像素子の出力から計算した、ある周波数におけるコントラストである。
【００２０】
図１１で解るように、開放絞り（図１０（ａ））から絞り開口ｑを絞って行くと、コントラストは徐々に低下し、図１０（ｅ）の状態になったときにコントラストの最低値が計測される。これは、ＮＤフィルタｊが絞り開口ｑの全面にかかりきらない素通し部分ｒの形状が垂直方向に扁平な形状（三角形）になり、小絞り状態となって素通し部ｒを通った光束が回折で劣化した像を結び、一方、ＮＤフィルタｊを通った光束は素通し部ｒよりもＦナンバーが明るいので回折の影響の無い像を結ぶことになるが、ＮＤフィルタｊの透過率が低いため（１０％）、全体として画質は素通し部ｒを通った光束が支配的となり、これにより、コントラストが低下するものと考えられる。すなわち、上記素通し部ｒとＮＤフィルタｊとの透過率の差が大きいために、素通し部ｒが小絞り状態と同様になってしまうためである。
【００２１】
図１０（ｅ）の状態から、さらに絞り開口ｑを絞って行くと、素通し部ｒがなくなりＮＤフィルタｊが絞り開口ｑの全面を覆うため、回折の影響がなくなり再びコントラストが回復する（図１０（ｆ））。
【００２２】
図１０（ｆ）状態から、さらに絞り開口ｑを絞って行くと、開口径が極小となるため、小絞り回折として再びコントラストが低下することとなる（図１０（ｇ））。
【００２３】
このように、上記従来の絞り装置ａにあっては、小絞り（開口径が最小値）（図１０（ｇ））になる前に、コントラストが最低値となり（図１０（ｅ））、画質が劣化してしまうという問題があった。
【００２４】
そこで、本発明は、小絞りに到るまでの中間絞りにおいて極小になった素通し部による回折の影響を軽減することを課題とする。
【００２５】
【課題を解決するための手段】
そこで、本発明撮影レンズの絞り装置は、上記課題を解決するために、少なくとも２枚の絞り羽根と、第１のＮＤフィルタが取着されたＮＤフィルタ保持部材とを有し、ＮＤフィルタ保持部材を、光軸方向において一方の絞り羽根を挟んで位置する他方の絞り羽根と同一方向に移動するように設け、該他方の絞り羽根に、その絞り径形成用切欠の一部を覆うように第２のＮＤフィルタを取着し、一方の絞り羽根を、他方の絞り羽根及びＮＤフィルタ保持部材の移動方向と反対の方向に移動させ、第２のＮＤフィルタを、他方の絞り羽根に形成された絞り径形成用切欠を覆うように取着し、２つのＮＤフィルタを、絞り開口内で一部が重なるようにし、ＮＤフィルタが全くかからない素通し部と、第１のＮＤフィルタのみかかる部分とを隣接させて、第１のＮＤフィルタが絞り開口を覆う面積を、第２のＮＤフィルタが絞り開口を覆う面積より大きく設定するとともに、絞り径の変化に伴う第１のＮＤフィルタの変位量を第２のＮＤフィルタの変位量よりも大きくしたものである。
【００２６】
従って、本発明撮影レンズの絞り装置にあっては、光軸方向から見てＮＤフィルタが重なってみえる部分においては透過率が低く、一方のＮＤフィルタしか見えない部分においては比較的、透過率を高くすることができ、これにより、素通し部と一方のＮＤフィルタしか見えない部分との透過率の差が極端に相違しないので、小絞りに到るまでの中間絞りにおいて素通し部が極小になっても、該素通し部による回折の影響を軽減することができ、画質の劣化を軽減することができるとともに、これを実現するために装置が大型化することはない。
【００２７】
【発明の実施の形態】
以下に、本発明撮影レンズの絞り装置の詳細を添付図面に示した実施の形態に従って説明する。
【００２８】
図１乃至図６は本発明撮影レンズの絞り装置の実施の形態を示すものである。
【００２９】
撮影レンズの絞り装置１は、薄型のケーシング２と、該ケーシング２内に上下方向に移動自在に収納された２枚の絞り羽根３、４と後述するＮＤフィルタが取着されるＮＤフィルタ保持部材５と、絞り羽根３、４及びＮＤフィルタ保持部材５を移動させるための駆動機構６等から成る。
【００３０】
図４は、このような絞り装置１が用いられる光学系７の一例を示す。
【００３１】
光学系７は、例えば、レンズＬ１〜Ｌ６と撮像素子８とを有し、上記絞り装置１は、レンズＬ４とＬ５との間に配置される。
【００３２】
絞り装置１のケーシング２は前面が開口した偏平な皿状をした主部９と該主部９の前面を閉塞する蓋板１０とから成る。尚、本明細書において方向を示すときは、図１における左斜め下方へ向かう方向を前側とし、右斜め上方へ向かう方向を後側とする。また、左斜め上方に向かう方向を左側とし、右斜め下方に向かう方向を右側とする。さらに、同図における上方へ向かう方向を上側とし、下方へ向かう方向を下側とする。以下の説明において向きを示すときはこの方向によるものとする。
【００３３】
主部９は、上下方向に長い矩形の平板状をした背面壁１１と、該背面壁１１の周縁に沿って延びるように前方へ突出した前後幅の小さい周壁１２と、背面壁１１の前面の左右両側縁部からそれぞれ２本づつ前方へ向けて突出した小さな支持ピン１３、１３及び１３′、１３′と背面壁１１の上端側４分の１強の領域に形成された開口１１ａの周縁部から後方へ向けて突出した前後幅の小さい枠部１１ｂとが合成樹脂により一体に形成され、背面壁１１の下端と上記開口１１ａとの間のほゞ中央部には円形をした光通過孔１１ｃが形成されている。
【００３４】
蓋板１０は上記主部９の前後方向から見た形状と同じ形状を有した平板状をしており、主部９にその前面を閉塞するように被着され、それにより、薄い箱形をしたケーシング２が形成される。
【００３５】
蓋板１０の上記主部９の光通過孔１１ｃと対向した位置には光通過孔１０ａが形成され、該光通過孔１０ａと上記１１ｃとは同じ大きさをしており、かつ、互いの位置が一致するように配置されている。
【００３６】
このようなケーシング２は図示しない外筐内にそこに配置された光学系７の光軸ｘ−ｘが光通過孔１０ａ、１１ｃの中心を通るように、また、主部９が物体側で、蓋板１０が像（撮像素子８）側になる向きで配置される。
【００３７】
絞り羽根３、４及びＮＤフィルタ保持部材５は比較的腰の強い樹脂フィルムによって形成されており、一方の絞り羽根４を挟んで他方の絞り羽根３とＮＤフィルタ保持部材５とが位置され、絞り羽根３が物体側、ＮＤフィルタ保持部材５が像側になるように上記ケーシング２内に配置される。
【００３８】
絞り羽根３とＮＤフィルタ保持部材５とが対を為し、同じ方向へ同時に移動し、後述するように、ＮＤフィルタ保持部材５の方が速く移動するようになっている。また、絞り羽根４は絞り羽根３及びＮＤフィルタ保持部材５の移動方向と反対の方向へ移動する。
【００３９】
絞り羽根３はほゞＪ字形をしており、その下部の上縁にほゞ半円形の大きな絞り径形成用切欠１４が形成され、該切欠１４の下端部を除く主部１４ａの半径は上記光通過孔１０ａ、１１ｃの半径とほゞ同じか又はやや大きくに形成されている。また、絞り径形成用切欠１４の下端部１４ｂはほゞ三角形に形成されている。
【００４０】
絞り羽根３の右端縁寄りの位置には上下に分かれて上下方向に延びる被案内スリット１５ａ、１５ｂが、また、左端縁に寄った位置には同じく上下方向に延びる被案内スリット１６が、それぞれ形成されている。
【００４１】
絞り羽根３の上側の被案内スリット１５ａの直ぐ上の位置に左右方向に延びる連結長孔１７が形成されている。尚、連結長孔１７は請求項３における第２の長孔に相当する。
【００４２】
しかして、右側の被案内スリット１５ａ、１５ｂにケーシング２が有する右側の２本の支持ピン１３、１３が各別に、また、左側の被案内スリット１６にケーシング２の左側の下方に位置した支持ピン１３′が、それぞれ摺動自在に係合することにより、絞り羽根３は該ケーシング２に上下方向へ移動自在に支持される。
【００４３】
ＮＤフィルタ保持部材５は上記絞り羽根３とほゞ同様な形状をしており、絞り羽根としての機能をも有する。尚、絞り羽根とは絞り開口を形成するための切欠が形成されているものを意味する。
【００４４】
すなわち、ＮＤフィルタ保持部材５はほゞＪ字形をしており、その下部の上縁にほゞ半円形の大きな切欠１８が形成されており、該切欠１８の下端部１８ｂはほゞ三角形に形成され、その右端縁寄りの位置には被案内スリット１９ａ、１９ｂが、また、左端縁に寄った位置には被案内スリット２０が、それぞれ形成され、さらに、上側の被案内スリット１９ａの直ぐ上の位置に左右方向に延びる連結長孔２１が形成されている。尚、連結長孔２１は請求項３における第３の長孔に相当する。
【００４５】
ＮＤフィルタ保持部材５の切欠１８は、絞り羽根３の絞り径形成用切欠１４よりも下側の位置にこれと同じ大きさで形成されている。尚、ＮＤフィルタ保持部材５の切欠１８は、上述のように絞り開口を形成するためのものでないため、絞り羽根３の絞り径形成用切欠１４と同じ形状である必要はなく、絞り径形成用切欠１４よりも大きく形成しても良い。
【００４６】
ＮＤフィルタ保持部材５の上記被案内スリット１９ａ、１９ｂ、２０は、それぞれ絞り羽根３の被案内スリット１５ａ、１５ｂ、１６とほゞ対応する位置に形成されていて、これらよりもやや長く形成されている。
【００４７】
ＮＤフィルタ保持部材５の連結長孔２１は、上記絞り羽根３の連結長孔１７よりもやや右側に寄った位置に、これよりもやや長く形成されている。
【００４８】
そして、絞り羽根３とＮＤフィルタ保持部材５とを互いの下縁が一致するように重ねたとき、切欠１８が絞り形成用切欠１４よりも下側に位置し、被案内スリット１５ａと１９ａ、１５ｂと１９ｂ、１６と２０とがそれぞれの上端において一致し、また、連結長孔１７が連結長孔２１よりもやや右斜め下側に位置することになる。尚、この状態では、後述する２つのＮＤフィルタが互いの上縁が一致した状態となる。
【００４９】
しかして、右側の被案内スリット１９ａ、１９ｂにケーシング２が有する右側の２本の支持ピン１３、１３が各別に、また、左側の被案内スリット２０にケーシング２の左側の下方に位置した支持ピン１３′が、それぞれ摺動自在に係合することにより、ＮＤフィルタ保持部材５も該ケーシング２に上下方向へ移動自在に支持される。
【００５０】
ＮＤフィルタ保持部材５の上記絞り羽根３と対向する側と反対側の面（前面）に、切欠１８の下端部１８ｂ及び主部１８ａの下側半分くらいまでを覆うように第１のＮＤフィルタ２２が取着され、また、絞り羽根３の上記ＮＤフィルタ保持部材５と対向する側と反対側の面（後面）に、絞り径形成用切欠１４の下端部１４ｂを覆うように第２のＮＤフィルタ２３が取着されている。
【００５１】
２つのＮＤフィルタ２２、２３は、絞り羽根３とＮＤフィルタ保持部材５とをそれぞれの下側縁が一致するように重ねたとき、ＮＤフィルタ２２、２３のそれぞれの上端縁が一致するようになっており、切欠１４、１８のそれぞれの上端部において、２つのＮＤフィルタ２２と２３とが重なって見える。
【００５２】
尚、これらＮＤフィルタ２２、２３の透過率は、ともに３２％のものが用いられており、従って、第１のＮＤフィルタ２２のみを通過する光束は、その３２％が透過し、ＮＤフィルタ２２と２３とが重なった部分を通過する光束は、その約１０％（０．３２×０．３２＝０．１０２４）が透過することになる。
【００５３】
絞り羽根３とＮＤフィルタ保持部材５とにより光軸方向において挟まれた絞り羽根４の下端縁にはほゞ半円形の絞り径形成用切欠２４が形成されている。該切欠２４の上端部を除く主部２４ａの半径は上記光通過孔１０ａ、１１ｃの半径と同じか僅かに大きく形成されている。そして、該切欠２４の上端部２４ｂは更にほゞ三角形に切り欠かれている。
【００５４】
また、絞り羽根４の左側縁に寄った位置には上下に分かれ各別に上下方向に延びるように形成された被案内スリット２５ａ、２５ｂが形成され、右側縁に寄った位置にも上下方向に延びる被案内スリット２６が形成されている。更に、左側の上の被案内スリット２５ａの上側に左右に長い連結長孔２７が形成されている。尚、連結長孔２７は請求項３における第１の長孔に相当する。
【００５５】
しかして、該絞り羽根４は、その被案内スリット２５ａ、２５ｂにケーシング２が有する左側の２本の支持ピン１３′、１３′が、また、被案内スリット２６にケーシング２の右側の支持ピン１３、１３の下側のものが、それぞれ摺動自在に係合することにより該ケーシング２に上下方向へ移動自在に支持される。
【００５６】
撮影レンズの絞り装置１の駆動機構６は、モータ２８及び該モータ２８により駆動される回動アーム２９等からなる。
【００５７】
モータ２８は、そのケース２８ａの前端部２８ｂがケーシング２の背面壁１１に形成された前記枠部１１ｂにその後面を後側から閉塞するように固定され、それにより、モータ２８の回転軸２８ｃの前端部が上記背面壁１１の開口１１ａのほゞ中央に位置される。
【００５８】
回動アーム２９は、その中央部が上記モータ２８の回転軸２８ｃに固定されている。そして、該回動アーム２９の右端部に小さな連結ピン２９ａ、２９ｂが左右に並んで、左端部に連結ピン２９ｃがそれぞれ前方へ向けて突設されている。尚、連結ピン２９ａは請求項３における第３の連結ピンに、連結ピン２９ｂは請求項３における第２の連結ピンに、連結ピン２９ｃは請求項３における第１の連結ピンに、それぞれ相当する。
【００５９】
そして、右端に位置した連結ピン２９ａが上記ＮＤフィルタ保持部材５の連結長孔２１に、連結ピン２９ａの直ぐ左側に位置した連結ピン２９ｂが絞り羽根３の連結長孔１７に、左端の連結ピン２９ｃが絞り羽根４の連結長孔２７に、それぞれ摺動自在に係合される。尚、連結ピン２９ｂと連結ピン２９ｃとは回転軸２８ｃからの距離が同じで、連結ピン２９ａは回転軸２８ｃからの距離が他の連結ピン２９ｂ、２９ｃよりも長くなっている。
【００６０】
従って、回動アーム２９が回動すると、その連結ピン２９ａ、２９ｂと２９ｃとは互いに上下反対の方向へ変位するので、それにより、ＮＤフィルタ保持部材５及び絞り羽根３と絞り羽根４とが互いに上下反対の方向へ移動される。しかも、互いに異なる方向に移動する絞り羽根３と絞り羽根４とは同じ変位量、即ち、同じ速度で移動し、また、同じ方向へ移動するＮＤフィルタ保持部材５と絞り羽根３とは、外側の連結ピン２９ａと連結されたＮＤフィルタ保持部材５の方が絞り羽根３よりも大きな変位量、即ち、速い速度で移動する。
【００６１】
そして、絞り羽根３と絞り羽根４とが互いに上下反対の方向へ移動することにより、それぞれの絞り径形成用切欠１４と２４とが重なり合ってできる開口、すなわち、絞り開口３０の大きさが変化し、絞り羽根３がその移動範囲の上端に、絞り羽根４がその移動範囲の下端に位置したときに絞り開口３０が最も小さな小絞りとなり、また、絞り羽根３及びＮＤフィルタ保持部材５がその移動範囲の下端に、絞り羽根４がその移動範囲の上端に位置したときに絞り開口３０が最も大きな開放絞りとなる。尚、開放絞り状態における絞り開口３０は、絞り径形成用切欠１４と２４との重なりによってできるのではなく、ケーシング２の光通過孔１０ａ、１１ｃの大きさとなる。
【００６２】
また、２つのＮＤフィルタ２２、２３は、開放絞りの状態において、絞り開口３０の下端縁に僅かにかかる状態となっており、この状態から小絞りに到るまでは、ＮＤフィルタ保持部材５の方が絞り羽根３に比べてやや速く移動するため、第１のＮＤフィルタ２２の絞り開口３０を覆う面積の方が徐々に第２のＮＤフィルタ２３が占める面積よりも多くなるようになっている。
【００６３】
これは、第１のＮＤフィルタ２２と第２のＮＤフィルタ２３とが同じ変位量であった場合、開放絞り時に２つのＮＤフィルタ２２、２３が絞り開口３０にかからないようにするためには、開放絞り時に、第２のＮＤフィルタ２３が取着された絞り径形成用切欠１４を絞り開口３０からある程度離さなければならず、その分、絞り径形成用切欠１４が形成された絞り羽根３を下方に位置させる必要があり、装置を大きくしなければならない。
【００６４】
しかし、本発明撮影レンズの絞り装置１のように、第１のＮＤフィルタ２２の変位量を第２のＮＤフィルタ２３の変位量に比して大きくすることにより、絞り開放時においてＮＤフィルタ２３が取着された絞り径形成用切欠１４を絞り開口３０から退避させる距離をできるだけ少なくすることができ（後述する図５（ａ））、装置の小型化に寄与する。換言すれば、開放絞り時に、ＮＤフィルタ２２、２３を絞り開口３０からできるだけ退避した位置にすることができ、絞り開放時の光量損失を最小にすることができる。
【００６５】
図５は、開放絞り（図５（ａ））から小絞り（図５（ｇ））までの絞り開口３０の変化を示した概略図である。
【００６６】
図５（ａ）は、開放絞り状態を示し、絞り羽根３及びＮＤフィルタ保持部材５の切欠１４、１８がケーシング２の光通過孔１０ａ、１１ｃに対向して位置し、該光通過孔１０ａ、１１ｃに絞り羽根３及びＮＤフィルタ保持部材５がかかっていない状態で光通過孔１０ａ及び１１ｃにより絞り開口３０が形成され、２つのＮＤフィルタ２２、２３が光通過孔１０ａ、１１ｃの下側に僅かにかかっている状態で、残りの部分が素通し部３１となっている。尚、絞り羽根３と４はその変位量が同じなので、開放絞り（図５（ａ））から小絞り（図５（ｇ））までの間、絞り開口３０の中心は常に光軸ｘ−ｘと一致している。
【００６７】
この状態から徐々に絞り羽根３、４及びＮＤフィルタ保持部材５を移動させて、絞り開口３０を絞って行くと、絞り羽根３の絞り径形成用切欠１４と絞り羽根４の絞り径形成用切欠２４とにより絞り開口３０が形成され、図５（ｂ）で、絞り開口３０の下側ほゞ１／３を第１のＮＤフィルタ２２が覆い、また、絞り開口３０の下側ほゞ１／４を２つのＮＤフィルタ２２及び２３が覆うことになる。
【００６８】
図５（ｂ）の状態から徐々に絞り羽根３、４及びＮＤフィルタ保持部材５を移動させて、絞り開口３０を絞って行くと、図５（ｃ）で、絞り開口３０の下側ほゞ２／３を第１のＮＤフィルタ２２が覆い、また、絞り開口３０の下側ほゞ４／９を２つのＮＤフィルタ２２及び２３が覆うことになる。この状態で、素通し部３１が小さく扁平な三角形を呈することになるが、素通し部３１と第１のＮＤフィルタ２２との透過率の差が従来に比して小さいため、回折による像の劣化は軽減される。
【００６９】
さらに、絞り羽根３、４及びＮＤフィルタ保持部材５を移動させて、絞り開口３０を絞って行くと、図５（ｄ）で、さらに絞り開口３０は全体として縮小され、その全面がＮＤフィルタ２２により覆われ、下側ほゞ５／９がＮＤフィルタ２２及び２３により覆われることとなる。
【００７０】
図５（ｄ）の状態から徐々に絞り羽根３、４及びＮＤフィルタ保持部材５を移動させて、絞り開口３０を絞って行くと、図５（ｅ）で、絞り開口３０の上側ほゞ１／１０が第１のＮＤフィルタ２２のみによって覆われ、残りのほゞ９／１０が２つの重なったＮＤフィルタ２２、２３によって覆われる。この状態で、絞り開口３０の上側ほゞ１／１０の部分が小さく扁平な三角形を呈することになるが、第１のＮＤフィルタ２２による透過率とＮＤフィルタ２２及び２３の重なりによる透過率とにあまり差がないため、回折による像の劣化は軽減される。
【００７１】
さらに、絞り羽根３、４及びＮＤフィルタ保持部材５を移動させて、絞り開口３０を絞って行くと、図５（ｆ）で、さらに絞り開口３０は全体として縮小され、その全面がＮＤフィルタ２２及び２３によって覆われることとなる。
【００７２】
そしてさらに、絞り羽根３、４及びＮＤフィルタ保持部材５を移動させて、絞り開口３０を絞って行くと、図５（ｇ）で、絞り開口３０が最も小さくなり（小絞り）、その全面がＮＤフィルタ２２及び２３によって覆われることとなる。
【００７３】
図６は、上記従来例で示した図１１のグラフ図と同様に、絞り開口３０の変化による垂直方向のコントラストの変化を測定した結果を表わしたグラフ図であり、横軸の（ａ）〜（ｇ）は図５の開口形状（ａ）〜（ｇ）に対応したもので、縦軸は撮像素子の出力から計算した、ある周波数におけるコントラストである。
【００７４】
図６で解るように、開放絞り（図６（ａ））から絞り装置１の絞り開口３０を絞って行くと、コントラストは徐々に低下し、図６（ｃ）の状態になったときにコントラストは極小値を示す。これは、従来例で説明した場合と同様に図６（ｃ）の状態で、素通し部が極小の三角形を呈することにより回折の影響を受けるためであるが、素通し部３１と第１のＮＤフィルタ２２との透過率の差が小さいためそのコントラストの低下は従来に比してさほどではない。
【００７５】
そして、図６（ｃ）の状態から絞り開口３０を絞って行くと、コントラストは回復し、図６（ｄ）の状態では、極大値を示す。これは、極小な三角形を呈した素通し部３１がなくなり、その回折の影響がなくなって、絞り開口３０の上側半分は第１のＮＤフィルタ２２が、下側半分は２つのＮＤフィルタ２２、２３によって覆われる状態になるからである。
【００７６】
さらに、図６（ｄ）の状態から絞り開口３０を絞って行くと、コントラストは徐々に低下し、図６（ｅ）の状態になったときにコントラストは再び極小値を示す。これは、第１のＮＤフィルタ２２のみが絞り開口３０を覆う部分が極小な三角形を呈することによりその回折の影響を受けるためである。ところが、かかる状態においては、第１のＮＤフィルタ２２による透過率と２つのＮＤフィルタ２２及び２３の重なりによる透過率とにあまり差がなくなるため、よって、コントラストの低下は大きくならない。
【００７７】
図６（ｅ）の状態からさらに絞り開口３０を絞って行くと、コントラストは徐々に回復し、図６（ｆ）の状態では、再び極大値を示す。これは、極小な三角形を呈した第１のＮＤフィルタ２２がなくなり、その回折の影響がなくなって、光束が２つのＮＤフィルタ２２、２３を通過する状態になるからである。
【００７８】
図６（ｆ）状態から、さらに絞り装置１を絞って行くと、開口径が極小となるため、小絞り回折として再びコントラストが低下することとなる（図６（ｇ））。
【００７９】
尚、上記実施の形態において、ＮＤフィルタ保持部材５の形状を、第２のＮＤフィルタ２３が取着された絞り羽根３と同じ形状のものについて説明したが、本発明に係る撮影レンズの絞り装置１はこれに限らず、ＮＤフィルタ保持部材の切欠１８が、絞り羽根３の絞り径形成用切欠１４よりも大きく形成したものであっても構わない。要は、絞り開口３０は２つの絞り羽根３、４に形成された絞り径形成用切欠１４と２４とにより形成されるため、ＮＤフィルタ保持部材５に取着されたＮＤフィルタ２２が絞り開口３０を覆う面積と絞り羽根３に取着されたＮＤフィルタ２３が絞り開口３０を覆う面積とが、異なるようになっていれば良い。また、ＮＤフィルタ保持部材５を絞り羽根３、４の前側（像側）に配置したものについて説明したが、ＮＤフィルタ保持部材５を、絞り羽根３、４の後側（物体側）に配置するようにしても良い。
【００８０】
また、上記実施の形態においては、回動アーム２９の回動による第１のＮＤフィルタ２２を取着したＮＤフィルタ保持部材５の変位量を、互いに反対方向に移動する絞り羽根４よりも大きくしたので、開放絞り時においてより素通し部３１の占める面積を大きくすることができ、よって、開放絞り時にＮＤフィルタ２２、２３による光量損失を軽減することができる（図５（ａ）参照）。また、上記実施の形態によれば、絞り羽根３と４の変位量を同じにしたので、開放絞り（図５（ａ））から小絞り（図５（ｇ））までの間、その絞り開口３０の中心を光軸ｘ−ｘと常に一致させることができる。
【００８１】
また、２つのＮＤフィルタ２２、２３はその大きい方２２を像側に位置するＮＤフィルタ保持部材５に、その小さい方２３を物体側に位置する絞り羽根３に設けたので、光学系７中に２つのＮＤフィルタ２２、２３を設けたにもかかわらず、ＮＤフィルタ２２又は２３と撮像素子８とで発生するゴーストが増大されることはない。
【００８２】
すなわち、撮像素子とＮＤフィルタは反射防止処理を施せないため、撮像素子とＮＤフィルタの相互反射によりゴーストが発生することが問題となる。本発明のように２つのＮＤフィルタを光学系内に配設する場合、両者を互いに平行になるように配置するが、比較的柔軟な材料からなるＮＤフィルタであるため、その平行が崩れたり、反りが生じたりすることがあり、かかる場合、ＮＤフィルタと撮像素子とで生じるゴーストが２つになってしまい、１つのＮＤフィルタを用いる従来と比べてそのゴーストも目立ち易くなることが考えられる。
【００８３】
そこで、上記実施の形態のように、像側の第１のＮＤフィルタ２２を物体側の第２のＮＤフィルタ２３よりも大きくすることにより、面積の小さな第２のＮＤフィルタ２３と撮像素子８とでゴーストを生じさせる光束は、面積の大きな第１のＮＤフィルタ２２を２回通過するためその強度が減衰し、２つになるはずのゴーストを１つに見せることができ、従来の１つのＮＤフィルタを用いたものとほゞ同等なゴーストしか生じないことになる。
【００８４】
図７及び図８は本発明撮影レンズの絞り装置の第２の実施の形態を示すものである。
【００８５】
この第２の実施の形態が前記第１の実施の形態と比較して相違する点は、回動アーム２９の連結ピンのうちＮＤフィルタ保持部材５を移動させるためのもの２９ａが形成された位置だけであるので、図面には要部のみを示し、また、その説明は上記相違点についてのみ行い、他の部分については図面の各部に前記第１の実施の形態に係る撮影レンズの絞り装置における同様の部分に付した符号と同じ符号を付することによりその説明を省略する。
【００８６】
撮影レンズの絞り装置１Ａの各絞り羽根３、４及びＮＤフィルタ保持部材５の駆動機構３２は、モータ３３及び該モータ３３により駆動される回動アーム３４等からなる。
【００８７】
回動アーム３４は、その中央部が上記モータ３３の回転軸３３ｃに固定されている。そして、該回動アーム３４の右端部３４ａは「く」の字状に屈曲され、回動アーム３４の右端部３４ａがその回動範囲のうち最も上端に位置したときにその屈曲した右端部がほゞ水平になるようになっている。
【００８８】
回動アーム３４の右端部３４ａには小さな連結ピン３５ａ、３５ｂが左右に並んで、左端部には連結ピン３５ｃがそれぞれ前方へ向けて突設されていて、右端の連結ピン３５ａは上記右端部３４ａの先端部に、また、連結ピン３５ｂは上記屈曲された屈曲部３４ｂに形成されている。
【００８９】
そして、右端部３４ａの先端に位置した連結ピン３５ａが上記ＮＤフィルタ保持部材５の連結長孔２１に、屈曲部３４ｂに位置した連結ピン３５ｂが絞り羽根３の連結長孔１７に、左端の連結ピン３５ｃが絞り羽根４の連結長孔２７に、それぞれ摺動自在に係合される。尚、連結ピン３５ｂと連結ピン３５ｃとは回転軸３３ｃからの距離が同じで、連結ピン３５ａは回転軸３３ｃからの距離が他の連結ピン３５ｂ、３５ｃよりも長くなっている。
【００９０】
従って、回動アーム３４が回動すると、その連結ピン３５ａ、３５ｂと３５ｃとは互いに上下反対の方向へ変位するので、それにより、ＮＤフィルタ保持部材５及び絞り羽根３と絞り羽根４とが互いに上下反対の方向へ移動される。しかも、互いに異なる方向に移動する絞り羽根３と絞り羽根４とは同じ変位量、即ち、同じ速度で移動し、また、同じ方向へ移動するＮＤフィルタ保持部材５と絞り羽根３とは、外側の連結ピン３５ａと連結されたＮＤフィルタ保持部材５の方が絞り羽根３よりも大きな変位量、即ち、速い速度で移動する。
【００９１】
しかして、第２の実施の形態にかかる撮影レンズの絞り装置１Ａによれば、回動アーム３４の２つの連結ピン３５ａ、３５ｂが設けられた右端部が最上端に位置したときであっても、連結ピン３５ａ、３５ｂが高さ方向において同じ位置にあり、上記第１の実施の形態で示した撮影レンズの絞り装置１に比べ、高さ方向の大きさを小さくすることができる。
【００９２】
尚、上記した各実施の形態においては、ＮＤフィルタの切欠にかかる側の縁部を直線上のものを用いて説明したが、本発明はこれに限らず、その中心部に切欠部を形成しても良い。かかる場合、絞り開口３０を絞っていったときに生ずる扁平な三角形を、多角形、例えば、ひし形にすることができ、これにより、スリット状に近い扁平な三角形による回折の影響を少なくすることができる。
【００９３】
また、上記各実施の形態において、２つのＮＤフィルタはその透過率がともに３２％のものを用いたが、本発明はこれに限らず、異なる透過率のＮＤフィルタを用いることもできる。
【００９４】
更に、上記各実施の形態においては、回動アームと各絞り羽根及びＮＤフィルタ保持部材との連結は、回動アーム側に連結ピンを形成し、絞り羽根及びＮＤフィルタ保持部材側に連結長孔を形成したものについて説明したが、本発明撮影レンズの絞り装置にあっては、これに限らず、回動アーム側に連結長孔を設け、絞り羽根及びＮＤフィルタ保持部材側に連結ピンを形成するようにしたも良い。
【００９５】
【発明の効果】
以上に記載したところから明らかなように、本発明撮影レンズの絞り装置は、少なくとも２枚の絞り羽根と、第１のＮＤフィルタが取着されたＮＤフィルタ保持部材とを有し、ＮＤフィルタ保持部材を、光軸方向において一方の絞り羽根を挟んで位置する他方の絞り羽根と同一方向に移動するように設け、他方の絞り羽根に、その絞り径形成用切欠の一部を覆うように第２のＮＤフィルタを取着し、一方の絞り羽根を、他方の絞り羽根及びＮＤフィルタ保持部材の移動方向と反対の方向に移動させ、第２のＮＤフィルタを、他方の絞り羽根に形成された絞り径形成用切欠を覆うように取着し、２つのＮＤフィルタを、絞り開口内で一部が重なるようにし、ＮＤフィルタが全くかからない素通し部と、第１のＮＤフィルタのみかかる部分とを隣接させて、第１のＮＤフィルタが絞り開口を覆う面積を、第２のＮＤフィルタが絞り開口を覆う面積より大きくするとともに、絞り径の変化に伴う第１のＮＤフィルタの変位量を第２のＮＤフィルタの変位量よりも大きくしたので、光軸方向から見てＮＤフィルタが重なってみえる部分においては透過率が低く、一方のＮＤフィルタしか見えない部分においては比較的透過率を高くすることができ、これにより、該素通し部と一方のＮＤフィルタしか見えない部分との透過率の差が極端に相違しないので、小絞りに到るまでの中間絞りにおいて素通し部が極小になっても、該素通し部による回折の影響を軽減することができ、画質の劣化を軽減することができるとともに、これを実現するために装置が大型化することはない。
【００９６】
請求項２に記載した発明にあっては、長さ方向における中間の部分に回転中心を有する回動アームを備え、ＮＤフィルタが取着されていない絞り羽根を回動アームの一方の回動端部に連結し、ＮＤフィルタが取着された絞り羽根を回動アームの他方の回動端部に連結し、ＮＤフィルタ保持部材を回動アームのうち上記ＮＤフィルタが取着された絞り羽根の連結点よりも更に回動端側に連結して、直線運動をする各絞り羽根及びＮＤフィルタ保持部材を回動アームの回動運動により移動させるようにしたので、その駆動機構を簡単な構造にすることができ、しかも、第１のＮＤフィルタと第２のＮＤフィルタとの変位量の違いを簡単な構造にて実現することができ、装置の簡略化及び小型化に寄与する。
【００９７】
請求項３に記載した発明にあっては、回動アームの一方の回動端部に第１の連結ピンを設け、回動アームの他方の回動端部に回動中心からの距離が互いに相違する位置に各別に第２の連結ピン及び第３の連結ピンを設け、ＮＤフィルタが取着されていない上記絞り羽根に第１の長孔を形成すると共に、該第１の長孔に上記第１の連結ピンを係合し、ＮＤフィルタが取着された上記絞り羽根に第２の長孔を形成すると共に、該第２の長孔に上記第２の連結ピンを係合し、上記ＮＤフィルタ保持部材に第３の長孔を形成すると共に、該第３の長孔に上記第３の連結ピンを係合したので、各絞り羽根及びＮＤフィルタ保持部材と回動アームとの連結を簡単な構造にて実現することができ、装置の簡略化及び小型化に寄与する。
【００９８】
請求項４に記載した発明にあっては、回動アームの第２の連結ピン及び第３連結ピンが設けられた側の回動端が絞り開口から離間する側に最も回動した状態において、上記第３の連結ピンを第２の連結ピンよりも各絞り羽根の移動方向と直交する方向に偏倚した位置に設けたので、回動アームの回転中心から絞り開口と反対側への突出量を小さくすることができ、装置の小型化に寄与する。
【００９９】
請求項５乃至請求項８に記載した発明にあっては、物体側に位置したＮＤフィルタの絞り径形成用切欠を覆う面積を像側に位置したＮＤフィルタの絞り径形成用切欠を覆う面積よりも小さくしたので、面積の小さなＮＤフィルタと撮像素子とでゴーストを生じさせる光束が、面積の大きなＮＤフィルタを２回通過することになるためその強度が減衰し、２つになるはずのゴーストを１つに見せることができ、従来の１つのＮＤフィルタを用いたものとほゞ同等なゴーストしか生じぜず、ゴーストの増大を防止することができる。
【０１００】
尚、上記した各実施の形態において示した各部の形状乃至構造は、何れも本発明の実施に際して行なう具体化のほんの一例を示したものにすぎず、これらによって本発明の技術的範囲が限定的に解釈されることがあってはならないものである。
【図面の簡単な説明】
【図１】図２乃至図６と共に、本発明撮影レンズの絞り装置の実施の形態を示すもので、本図は分解斜視図である。
【図２】小絞り状態で、一部を切り欠いて示す正面図である。
【図３】開放絞り状態で、一部を切り欠いて示す正面図である。
【図４】光学系の概要を示す説明図である。
【図５】絞り開口の形状を、開放絞り（ａ）から小絞り（ｇ）まで順に表わした概略図である。
【図６】絞り開口の形状とコントラストとの関係を表わしたグラフ図である。
【図７】図８と共に、本発明撮影レンズの絞り装置の第２の実施の形態を示すもので、本図は、小絞り状態で、一部を切り欠いて示す正面図である。
【図８】開放絞り状態で、一部を切り欠いて示す正面図である。
【図９】図１０及び図１１と共に、従来の撮影レンズの絞り装置を示すもので、本図はその分解斜視図である。
【図１０】絞り開口の形状を、開放絞り（ａ）から小絞り（ｇ）まで順に表わした概略図である。
【図１１】絞り開口の形状とコントラストとの関係を表わしたグラフ図である。
【符号の説明】
１…撮影レンズの絞り装置、３…他方の絞り羽根、４…一方の絞り羽根、５…ＮＤフィルタ保持部材、１４…絞り径形成用切欠、１７…第２の長孔、２１…第３の長孔、２２…第１のＮＤフィルタ、２３…第２のＮＤフィルタ、２７…第１の長孔、２９…回動アーム、２９ａ…第３の連結ピン、２９ｂ…第２の連結ピン、２９ｃ…第１の連結ピン、３０…絞り開口、３１…素通し部、ｘ−ｘ…光軸、１Ａ…撮影レンズの絞り装置、３４…回動アーム、３５ａ…第３の連結ピン、３５ｂ…第２の連結ピン、３５ｃ…第１の連結ピン
【図１】
0003726436.tif 000002
【図２】
0003726436.tif 000003
【図３】
0003726436.tif 000004
【図４】
0003726436.tif 000005
【図５】
0003726436.tif 000006
【図６】
0003726436.tif 000007
【図７】
0003726436.tif 000008
【図８】
0003726436.tif 000009
【図９】
0003726436.tif 000010
【図１０】
0003726436.tif 000011
【図１１】
0003726436.tif 000012